(57)【要約】本発明は、フレームと、基板を担持するための基板サポートモジュールと、基板を露光するための露光装置と、基板サポートモジュールに対する露光装置の位置を調整するための調整アセンブリと、を備える基板露光システムに関する。調整アセンブリは、水圧アクチュエータと、水圧ジェネレータと、導管と、を備え、導管は、水圧系を形成するため水圧アクチュエータ及び水圧ジェネレータを相互接続する。露光装置、フレーム、調整アセンブリ、及び基板サポートモジュールは、機械的に連結された一連のコンポーネントの部分として配置されている。機械的に連結された一連のコンポーネントの第１の部分は露光装置を含み、第２の部分は基板サポートモジュールを含む。水圧アクチュエータは第１の部分と第２の部分との間に配置されている。好ましくは、水圧アクチュエータは第１のベローズを含み、水圧ジェネレータは第２のベローズを含む。【特許請求の範囲】
【請求項１】
機械的に連結された一連のコンポーネントの第１の部分の位置を機械的に連結された一連のコンポーネントの第２の部分に対して調整するための機械的調整アセンブリであって、
前記機械的調整アセンブリは、第１のベローズと、第２のベローズと、導管と、を備え、前記導管は水圧系を形成するため前記第１のベローズ及び前記第２のベローズを相互接続し、
前記第１のベローズは前記機械的に連結された一連のコンポーネントの前記第１の部分と前記第２の部分との間に配置され、前記第２のベローズは前記第１のベローズから離間して配置され、前記第１のベローズは前記第２のベローズによって作動されるように配置されている、機械的調整アセンブリ。
【請求項２】
前記第２のベローズには、前記第１のベローズを作動させるため前記第２のベローズを収縮又は膨張させるように構成された駆動ユニットが備えられ、前記駆動ユニットは好ましくはモータを備える、請求項１に記載の機械的調整アセンブリ。
【請求項３】
前記システムは、前記機械的に連結された一連のコンポーネントの前記第２の部分に対する前記第１の部分の位置、又は前記機械的に連結された一連のコンポーネントの前記第２の部分に対する前記機械的に連結された一連のコンポーネントの前記第１の部分の位置の変化を測定するための少なくとも１つのセンサを備える、請求項１又は２に記載の機械的調整アセンブリ。
【請求項４】
請求項１から３のいずれか一項に記載の機械的調整アセンブリを備える基板露光システムであって、更に、
フレームと、
基板を支持するための基板サポートモジュールと、
前記フレームによって担持され、前記基板を露光放射に露光するため配置された露光装置と、を更に備え、前記機械的に連結された一連のコンポーネントの前記第１の部分は前記露光装置を含み、前記機械的に連結された一連のコンポーネントの前記第２の部分は前記基板サポートモジュールを含む、基板露光システム。
【請求項５】
機械的に連結された一連のコンポーネントの第１の部分の位置を機械的に連結された一連のコンポーネントの第２の部分に対して調整するための方法であって、
第１のベローズと、第２のベローズと、導管と、を備える機械的調整アセンブリを提供することであって、前記導管は水圧系を形成するため前記第１のベローズ及び前記第２のベローズを相互接続する、ことと、
前記機械的に連結された一連のコンポーネントの前記第１の部分と前記第２の部分との間に前記第１のベローズを配置することと、
前記第１のベローズから離間して前記第２のベローズを配置することと、
前記第２のベローズを作動させ、これによって、前記機械的に連結されたコンポーネントの前記第１の部分の前記位置を前記機械的に連結された一連のコンポーネントの前記第２の部分に対して調整するように、前記第１のベローズの作動を引き起こすことと、
を含む方法。
【請求項６】
前記機械的に連結された一連のコンポーネントの前記第２の部分に対する前記第１の部分の位置、又は前記機械的に連結された一連のコンポーネントの前記第２の部分に対する前記機械的に連結された一連のコンポーネントの前記第１の部分の位置の変化を測定する少なくとも１つのセンサからの信号に基づいて、前記第２のベローズの前記作動を制御することを更に含む、請求項５に記載の方法。
【請求項７】
フレームと、
前記フレームに接続されている、基板を担持するための基板サポートモジュールと、
前記フレームによって担持され、前記基板サポートモジュールによって担持された前記基板を露光するため配置された露光装置と、
前記基板サポートモジュールに対する前記露光装置の位置を調整するための調整アセンブリであって、前記調整アセンブリは水圧アクチュエータと、水圧ジェネレータと、導管と、を備え、前記導管は水圧系を形成するため前記水圧アクチュエータ及び前記水圧ジェネレータを相互接続する、調整アセンブリと、
を備え、前記露光装置、前記フレーム、前記調整アセンブリ、及び前記基板サポートモジュールは、機械的に連結された一連のコンポーネントの部分として配置され、前記機械的に連結された一連のコンポーネントは、少なくとも前記露光装置を含む第１の部分と少なくとも前記基板サポートモジュールを含む第２の部分とを含み、前記水圧アクチュエータは前記機械的に連結された一連のコンポーネントの前記第１の部分と前記第２の部分との間に配置されている、基板露光システム。
【請求項８】
前記水圧アクチュエータは第１のベローズを含む、請求項７に記載の基板露光システム。
【請求項９】
前記水圧ジェネレータは第２のベローズを含む、請求項７又は８に記載の基板露光システム。
【請求項１０】
前記第２のベローズには、好ましくは機械的リニア駆動ユニットである駆動ユニットが備えられ、前記駆動ユニットは、前記第１のベローズを作動させるため前記第２のベローズを収縮又は膨張させるように構成されている、請求項９に記載の基板露光システム。
【請求項１１】
前記駆動ユニットは、好ましくはステッパモータであるモータを含む、請求項１０に記載の基板露光システム。
【請求項１２】
前記システムは、前記機械的に連結された一連のコンポーネントの前記第２の部分に対する前記第１の部分の位置、又は前記機械的に連結された一連のコンポーネントの前記第２の部分に対する前記機械的に連結された一連のコンポーネントの前記第１の部分の位置の変化を測定するための少なくとも１つのセンサを備える、請求項７から１１のいずれか一項に記載のシステム。
【請求項１３】
前記センサは、前記機械的に連結された一連のコンポーネントの前記第２の部分の一部であるフレームセグメントに対する前記露光装置の位置、又は前記機械的に連結された一連のコンポーネントの前記第２の部分の一部であるフレームセグメントに対する前記露光装置の位置の変化を測定するため構成されている、請求項１２に記載のシステム。
【請求項１４】
前記露光装置は少なくとも１つのばね要素によって前記フレームに移動可能に接続され、前記機械的に連結された一連のコンポーネントの前記第１の部分は前記ばね要素を含み、
前記水圧アクチュエータは前記フレームと前記ばね要素との間に配置されている、請求項７から１３のいずれか一項に記載の基板露光システム。
【請求項１５】
前記水圧アクチュエータは前記フレームと前記基板サポートモジュールとの間に配置されている、請求項７から１２のいずれか一項に記載の基板露光システム。
【請求項１６】
水圧アクチュエータは、前記基板サポートモジュールに対して前記露光装置を移動させるために、好ましくは、前記基板サポートモジュールに対して前記露光装置を実質的に垂直の方向に移動させるために構成されている、請求項７から１５のいずれか一項に記載の基板露光システム。
【請求項１７】
筐体を更に備え、前記露光装置及び前記基板サポートモジュールは少なくとも部分的に前記筐体の内部に配置され、前記水圧アクチュエータは前記筐体の内部に配置されると共に前記水圧ジェネレータは前記筐体の外部に配置されている、請求項７から１６のいずれか一項に記載の基板露光システム。
【請求項１８】
前記筐体は真空チャンバとして機能するように構成され、前記筐体は、使用時に前記筐体内部で真空又は減圧を生成するための真空ポンプに結合され、好ましくは前記水圧アクチュエータは真空対応である、請求項１７に記載の基板露光システム。
【請求項１９】
３つの調整アセンブリを備え、好ましくは、前記３つの調整アセンブリは前記露光装置及び／又は前記基板サポートモジュールを中心とした三角形構成に配置されている、請求項７から１８のいずれか一項に記載の基板露光システム。
【請求項２０】
前記システムはリソグラフィシステムであり、前記露光装置は前記リソグラフィシステムの光学コラムを含む、請求項７から１９のいずれか一項に記載の基板露光システム。
【請求項２１】
前記露光装置は、好ましくはマルチビーム荷電粒子光学コラムである荷電粒子ビーム光学コラムを含む、請求項７から２０のいずれか一項に記載の基板露光システム。
【請求項２２】
請求項７から２１のいずれか一項に記載の基板露光システムにおいて前記基板サポートモジュールに対する前記露光装置の前記位置を調整するための方法であって、
前記機械的に連結された一連のコンポーネントの前記第２の部分に対する前記第１の部分の位置の変化を与える前記水圧アクチュエータを作動させるため前記水圧ジェネレータを駆動するステップを含む、方法。
【請求項２３】
前記機械的に連結された一連のコンポーネントの前記第２の部分に対する前記第１の部分の位置を測定するか、又は前記機械的に連結された一連のコンポーネントの前記第２の部分に対する前記第１の部分の位置の変化を測定するステップを更に含む、請求項２２に記載の方法。
【請求項２４】
前記測定された位置又は位置の変化に従って制御信号を発生させるステップと、
前記制御信号に従って前記水圧ジェネレータを駆動するステップと、
を更に含む、請求項２３に記載の方法。
【発明の詳細な説明】
【技術分野】
【０００１】
本発明は、機械的調整アセンブリ及びそれによって調整されるシステムに関する。具体的には、機械的調整アセンブリは、機械的に連結された一連のコンポーネントを含むシステムにおいて使用され、具体的には、限定ではないが露光システムのような環境に接近するのが難しいコンポーネントを有するシステム、より具体的には、フレームと、フレームに接続された第１のモジュールと、フレームによって担持されるか又はフレームに接続された第２のモジュールと、を含むシステム又は機械的構成において使用される。本発明は更に、第２のモジュールに対する第１のモジュールの位置及び／又は向きを調整するための方法に関する。
【背景技術】
【０００２】
リソグラフィシステムは、シリコンウェーハ等のターゲットにパターンを投影するように構成されている。最新のリソグラフィシステムは、ターゲットにパターンを投影するため、特に光のような、より具体的にはＵＶ光のような電磁放射によって、又は、特に電子のような荷電粒子によって、ターゲットを露光する。
【０００３】
検査システムは、光学顕微鏡等において電磁放射を用いて、又は電子顕微鏡において電子のような荷電粒子を用いてターゲット又はサンプルを露光し、更に、ターゲットから情報を取得するため露光放射とターゲットとの相互作用から得られた放射又は荷電粒子を分析するように構成されている。
【０００４】
ＷＯ２０１３／０３４７５３号は、リソグラフィシステム又は検査装置について、特に荷電粒子マルチビームリソグラフィシステムについて記載している。ビームを生成及び投影するためのリソグラフィ又は検査システムのコンポーネントは、典型的にはコラムに配置され、本明細書において「露光装置」と称される。ＷＯ２０１３／０３４７５３号に記載されているシステムは、露光装置を保持するためのサポートフレーム及びサポート要素を備えている。サポート要素は、サポート要素を振動から少なくとも部分的に絶縁するため、少なくとも１つのばね要素によってサポートフレームに接続されている。
【０００５】
この既知のシステムの欠点は、使用中及び経時的に、とりわけばね要素にクリープが発生する可能性があり、これによってサポートフレームに対するサポート要素の位置が設定位置からずれる（ｄｅｖｉａｔｉｏｎ）ことである。この結果、露光対象及び／又は検査対象のターゲットに対するサポート要素の位置、及びサポート要素によって保持される露光装置の位置も、システム内の最適な位置からずれる恐れがある。これはシステムの性能に対して、特にターゲットの露光に対して悪影響を及ぼす。
【０００６】
別の露光装置がＵＳ２００９／００８６１７８によって既知である。このシステムは、光源と、レチクルを照明する照明光学系とを備えている。円筒形の投影光学系が、レチクルの像をウェーハステージ上の基板に投影する。投影光学系は、３つのサスペンションサポート機構によってフレームに接続されている。更に、フレームと投影光学系との間には３つの駆動機構が設けられている。各駆動機構は、投影光学系を円筒の半径方向に駆動するボイスコイルモータと、投影光学系を光軸の方向（Ｚ軸方向）に駆動するボイスコイルモータと、を含む。３つの駆動機構によって、投影光学系を６自由度の方向に移動させることができる。
【０００７】
この既知のシステムの欠点は、露光装置を移動させるアクチュエータが非接触モータとして含まれるので、担持できる負荷が限定されることである。
【０００８】
基板露光システムに伴う別の問題は、振動が基板露光に与える負の影響である。アクティブ制振によってそのような問題に対処するシステムが、例えば２００８／０２１８７２０Ａ１号及びＵＳ２００８／００１３０５８Ａ１号において既知である。
【０００９】
ＵＳ２００８／０２１８７２０Ａ１号は、光源から基板に光を投影するよう構成された露光装置について記載している。露光装置は、光学要素と、この光学要素を移動させるよう構成された駆動ユニットと、を含む投影光学系を含む。装置は、収差又は像面の倍率変化を補正するため光学要素を駆動することに伴う反力による振動を低減させるように構成されている。投影光学系は、ガススプリングによって投影光学系を支持するように構成されたサポート機構と、駆動ユニットのための駆動信号を発生させるように構成された制御ユニットと、駆動信号に従って、駆動ユニットから光学要素への作用の力に伴う反力の方向と反対方向の力を投影光学系に加えるように構成されたアクチュエータと、を更に含む。
【００１０】
ＵＳ２００８／００１３０５８Ａ１号は、ガスチャンバが設けられた空気ばね装置について記載している。ガスチャンバは、既定圧力のガスが充填され、ガスチャンバの容量変化による温度変化を調整するための調整装置が備えられている。空気ばね装置は、ガス圧によって物体を支持するための、例えば露光装置内に基板ステージを支持するための防振装置内に含めることができる。
【００１１】
一般的に言うと基板露光システム、具体的に言うとリソグラフィシステム又は顕微鏡システムの更に別の欠点は、コンパクトな及び／又は閉鎖された構成内に多数のコンポーネントが配置された極めて複雑なシステムであることである。このようなシステムでは、特にシステムの外部から容易に到達できないコンポーネントの位置を調整することは難しい。
【００１２】
本発明の目的は、これらの欠点のうち１つ以上の影響を克服するかもしくは少なくとも最小限に抑えること、又は、少なくとも、代替的な調整アセンブリを備えた基板露光デバイス及び／又は基板露光デバイスのコンポーネントの位置を調整するための方法を提供することである。
【発明の概要】
【００１３】
第１の態様に従って、本発明は、機械的に連結された一連のコンポーネントの第１の部分の位置を機械的に連結された一連のコンポーネントの第２の部分に対して調整するための機械的調整アセンブリを提供する。
機械的調整アセンブリは、第１のベローズと、第２のベローズと、導管と、を備え、導管は水圧系を形成するため第１のベローズ及び第２のベローズを相互接続し、
第１のベローズは機械的に連結された一連のコンポーネントの第１の部分と第２の部分との間に配置され、第２のベローズは第１のベローズから離間して配置され、第１のベローズは第２のベローズによって作動されるように配置されている。
【００１４】
第１のモジュール及び第２のモジュールの位置を相対的に調整するため、第１のベローズを第２のベローズによって作動及び／又は駆動することができる。第１及び第２のベローズは相互に離間して配置されるので、第１のベローズはシステム内の、例えばシステムの外部からアクセスするのが難しい場所に配置することができ、システムの外部に配置できる第２のベローズを用いて、アクセスするのが難しいその場所における位置調整を可能とする。
【００１５】
一実施形態において、第２のベローズには、第１のベローズを作動させるため第２のベローズを収縮又は膨張させるように構成された駆動ユニットが備えられている。駆動ユニットは好ましくは、ステッパモータ等のモータを備えている。あるいは第２のベローズは、手動で動作される構成によって収縮及び／又は膨張させてもよい。
【００１６】
一実施形態において、システムは、機械的に連結された一連のコンポーネントの第２の部分に対する第１の部分の位置、又は機械的に連結された一連のコンポーネントの第２の部分に対する機械的に連結された一連のコンポーネントの第１の部分の位置の変化を測定するための少なくとも１つのセンサを備える。これによって、機械的に連結された一連のコンポーネントの第１、第２の部分の相対位置を確認することが可能となる。駆動ユニットに接続された制御ユニットにセンサ信号を送信することによって、第１及び第２の部分の相対位置を自動的に調整できる。
【００１７】
機械的調整アセンブリは基板露光システムにおいて使用することができる。従って一実施形態では、機械的に連結された一連のコンポーネントは、露光装置と、フレームと、機械的調整アセンブリと、基板サポートモジュールと、を含む。好ましくは、機械的に連結された一連のコンポーネントの第１の部分は少なくとも露光装置を含み、機械的に連結された一連のコンポーネントの第２の部分は少なくとも基板サポートモジュールを含む。
【００１８】
第２の態様に従って、機械的に連結された一連のコンポーネントの第１の部分の位置を機械的に連結された一連のコンポーネントの第２の部分に対して調整するための方法が提供される。この方法は、
第１のベローズと、第２のベローズと、導管と、を備える機械的調整アセンブリを提供することであって、導管は水圧系を形成するため第１のベローズ及び第２のベローズを相互接続する、ことと、
機械的に連結された一連のコンポーネントの第１の部分と第２の部分との間に第１のベローズを配置することと、
第１のベローズから離間して第２のベローズを配置することと、
第２のベローズを作動させ、これによって、機械的に連結されたコンポーネントの第１の部分の位置を機械的に連結された一連のコンポーネントの第２の部分に対して調整するように、第１のベローズの作動を引き起こすことと、
を含む。
【００１９】
第２の態様の方法は、第１の態様に従った機械的調整アセンブリを用いて実行することができる。
【００２０】
一実施形態において、方法は、機械的に連結された一連のコンポーネントの第２の部分に対する第１の部分の位置、又は機械的に連結された一連のコンポーネントの第２の部分に対する機械的に連結された一連のコンポーネントの第１の部分の位置の変化を測定する少なくとも１つのセンサからの信号に基づいて、第２のベローズの作動を制御することを含む。
【００２１】
第３の態様に従って、本発明は基板露光システムを提供する。この基板露光システムは、
フレームと、
フレームに接続されている、基板を担持するための基板サポートモジュールと、
フレームに接続され、基板サポートモジュールによって担持された基板を露光するため配置された露光装置と、
基板サポートモジュールに対する露光装置の位置を調整するための調整アセンブリであって、調整アセンブリは水圧アクチュエータと、水圧ジェネレータ（ｈｙｄｒａｕｌｉｃ  ｇｅｎｅｒａｔｏｒ）と、導管と、を備え、導管は水圧系を形成するため水圧アクチュエータ及び水圧ジェネレータを相互接続する、調整アセンブリと、
を備え、露光装置、フレーム、調整アセンブリ、及び基板サポートモジュールは、機械的に連結された一連のコンポーネントの部分として配置され、機械的に連結された一連のコンポーネントは、少なくとも露光装置を含む第１の部分と少なくとも基板サポートモジュールを含む第２の部分とを含み、水圧アクチュエータは機械的に連結された一連のコンポーネントの第１の部分と第２の部分との間に配置されている。
【００２２】
第１の態様の機械的調整アセンブリを、第３の態様の基板露光システムにおいて使用することができる。第１の態様の技術的効果及び利点を第３の態様に適用することができ、その逆も同様である。
【００２３】
以下に記載する実施形態は、第１の態様及び／又は第２の態様に適用することも可能である。
【００２４】
本発明の基板露光システムにおいて、露光装置、フレーム、調整アセンブリ、及び基板サポートモジュールは、機械的に連結された一連のコンポーネントの部分として配置されている。この相互接続された構成において、水圧アクチュエータは露光装置と基板サポートモジュールとの間に配置されている。水圧アクチュエータは、露光装置と基板サポートモジュールの位置を相対的に調整するため水圧ジェネレータによって作動されるように配置されている。少なくとも使用時に、水圧アクチュエータ、導管、及び水圧ジェネレータは、好ましくは水である作動液が充填されて、水圧系を形成する。
【００２５】
本発明の基板露光システムは、水圧アクチュエータによってシステム内のコンポーネントの位置を調整することを可能とする水圧系を備えている。この水圧アクチュエータは、水圧ジェネレータによって遠隔で制御及び／又は作動される。水圧ジェネレータは、好ましくはシステムの外部から容易にアクセスできるように配置されている。従って本発明の調整アセンブリは、例えば露光装置及び／又は基板サポートモジュールのような基板露光システム内のコンポーネントの位置の調整を容易にし、システム内へのアクセスを必要とすることなく基板露光システム内部のコンポーネントの位置を調整することを可能とする。
【００２６】
これまで、リソグラフィ又は顕微鏡システムのような基板露光システムにおいて、特にシステム内に配置されたコンポーネント等のコンポーネントの位置を調整するために水圧系は使用されていなかった。しかしながら本発明者は、例えば、通常は比較的ゆっくりしたプロセスであるクリープに起因した、位置のずれ又はドリフト及び／又はミスアライメントを調整するために、本発明の基板露光システムにおける水圧系が極めて適していることを理解した。
【００２７】
更に、本発明に従った調整アセンブリが提供する水圧系によって、調整アセンブリが大きい負荷を担持することが可能となり、露光装置及び／又は基板サポートモジュールに剛性のサポートを与えることができる。
【００２８】
更に、本発明の機械的調整アセンブリ及び基板露光システムにおける水圧系は、基板露光システムのような適用されるシステム内に電気信号及び／又は電界を導入することなく調整アセンブリの遠隔制御及び／又は作動を行う。これは、電子ビームリソグラフィシステムや電子顕微鏡のような荷電粒子露光装置を含む基板露光システムにとって極めて有利である。電気信号を伝達するリードによって電界又は磁界が発生すると、そのような基板露光システム内で荷電粒子の軌道を妨害する恐れがあるからである。このような妨害は、荷電粒子露光装置を含むそのような基板露光システムの性能に対して、具体的にはターゲットの露光に対して、悪影響を及ぼす。本発明に従った基板露光システムでは、この悪影響は、基板サポートモジュールに対する露光装置の位置を調整するために水圧系を用いることによって少なくとも部分的に回避される。
【００２９】
一実施形態において、水圧アクチュエータは第１のベローズを含む。水圧アクチュエータは例えば水圧シリンダも含み得るが、ベローズ内には作動液が良好に閉じ込められると共に、ベローズは水圧シリンダのように外側へ延出する部分がないため作動液が漏れる可能性が低いので、第１のベローズを使用することが有利である。
【００３０】
一実施形態において、水圧ジェネレータは第２のベローズを含む。水圧ジェネレータは例えば水圧ポンプを含み得るが、ベローズ内には作動液が良好に閉じ込められると共に漏れの可能性が低いので、第２のベローズを使用することが有利である。
【００３１】
第１及び／又は第２のベローズをそれぞれ水圧アクチュエータ及び水圧ジェネレータとして使用することで、第１及び第２のベローズと導管の内部体積によって与えられる実質的に一定の体積内に作動液が閉じ込められている単純な水圧系を提供する。第２のベローズを収縮させた場合、これは、第１のベローズを膨張させる効果を有する流れを導管内に誘発する。同様に、第２のベローズを膨張させると、第１のベローズを収縮させる反対の流れを導管内に誘発する。
【００３２】
一実施形態において、第２のベローズには、好ましくは機械的リニア駆動ユニットである駆動ユニットが備えられている。駆動ユニットは、第１のベローズを作動させるため第２のベローズを収縮又は膨張させるように構成されている。機械的リニアアクチュエータは、第２のベローズを収縮及び膨張させるように、これによって第１のベローズの膨張及び収縮を遠隔で制御するように構成されている。
【００３３】
一実施形態において、機械的リニアアクチュエータは、調整ねじのような手動で動作可能なアクチュエータを含む。代替的な実施形態において、駆動ユニットは、好ましくはステッパモータであるモータを含む。モータは、第１のベローズを作動させるため第２のベローズを収縮及び／又は膨張させるように構成されている。これによって、例えば制御システムを用いて、基板サポートモジュールに対する露光装置の位置を自動的に調整できる。好ましくは、制御システムは、フレームに対する露光装置又はサポート要素の位置を測定するためのセンサに接続されている。これによって、露光装置の位置のずれを測定することと、測定したずれに基づいて基板サポートモジュールに対する露光装置の位置の調整を制御することが可能となる。
【００３４】
一実施形態において、システムは、機械的に連結された一連のコンポーネントの第２の部分に対する第１の部分の位置を測定するため、又は機械的に連結された一連のコンポーネントの第２の部分に対する機械的に連結された一連のコンポーネントの第１の部分の位置の変化を測定するための少なくとも１つのセンサを備える。これは、センサが、機械的に連結されたコンポーネントの第２の部分に対する機械的に連結されたコンポーネントの第１の部分の相対位置又は位置の変化を測定するように構成されていること、及び／又は、機械的に連結されたコンポーネントの第１の部分に対する機械的に連結されたコンポーネントの第２の部分の相対位置又は位置の変化を測定するように構成されていることを包含すると解釈するべきである。
【００３５】
一実施形態において、センサは、機械的に連結された一連のコンポーネントの第２の部分に対する第１の部分の垂直位置を測定するため、又は、機械的に連結された一連のコンポーネントの第２の部分に対する露光装置の垂直位置の変化を測定するために構成されている。この実施形態は、例えば露光装置を含む機械的に連結された一連のコンポーネントの第１の部分と機械的に連結された一連のコンポーネントの第２の部分との間にばね要素が可撓性接続を与えるシステムに、特に適している。このような可撓性接続は、機械的に連結された一連のコンポーネントの第２の部分に対する、具体的には機械的に連結された一連のコンポーネントの第２の部分の一部であるフレームセグメントに対する露光装置の実質的に垂直な方向における可撓性を与える。実質的に垂直な方向の可撓性は、好ましくは、露光システムが配置されている床から伝達する振動を減衰させるように構成されている。この振動に起因した基板サポートモジュールに対する露光装置の位置の比較的迅速な変化は、基板サポートモジュール内のアクチュエータによって打ち消すことができる。このような発生し得る振動に加えて、ばね要素は、少なくとも露光装置の重量による実質的に垂直方向の力を常に受けている。この垂直方向の力は、通例ゆっくりしたプロセスであるクリープをばね要素に誘発する可能性がある。クリープのために生じる露光装置と基板サポートモジュールとの間の距離のずれ、特に垂直方向の位置のずれを、センサによって測定する。位置のある程度のずれが測定された場合、フレームに対して露光装置を移動させて位置のずれを適切に打ち消すため、フレームとばね要素との間に配置された水圧アクチュエータを作動させることができる。従って、本発明の調整アセンブリ、特にその水圧系は典型的に、クリープ等のゆっくりしたプロセスによって生じる基板サポートモジュールに対する露光装置の位置のずれを補償するのに適している。
【００３６】
一実施形態において、センサは静電容量センサである。静電容量センサによって、フレームに対する、従ってシステムの残り部分に対する、特に基板サポートモジュールに対するサポート要素の位置を正確に測定することを可能としながら、コンパクトで経済的な選択肢を与えることができる。静電容量センサによって、サポート要素とフレームとの間の距離を正確に測定できる。一実施形態において、システムは、サポート要素とフレームとの間の距離並びにフレームに対するサポート要素の傾き及び／又は傾斜を測定するための配置に位置決めされた複数の容量性センサを備えている。
【００３７】
一実施形態において、露光装置は少なくとも１つのばね要素によってフレームに移動可能に接続されている。一実施形態において、機械的に連結された一連のコンポーネントの第１の部分はばね要素を含む。
【００３８】
好適な実施形態において、水圧アクチュエータはフレームとばね要素との間に配置され、好ましくは、フレームに対して露光装置を移動させるように配置されている。従って、水圧アクチュエータは、フレームに対する露光装置の設定位置及び／又は既定位置からのずれを打ち消すように配置されている。このずれは典型的にばね要素のクリープによって誘発される。
【００３９】
別の好適な実施形態において、水圧アクチュエータはフレームと基板サポートモジュールとの間に配置されている。この実施形態において、水圧アクチュエータは、フレームに対して基板サポートモジュールを移動させて、基板サポートモジュールに対する露光装置の相対位置のずれを打ち消すように配置されている。
【００４０】
一実施形態において、水圧アクチュエータは、好ましくは内部エンドストップであるエンドストップを含む。一実施形態では、第１のベローズがこのエンドストップを含む。このエンドストップは、水圧アクチュエータの、具体的には第１のベローズの移動を制限する。好ましくは、エンドストップは、露光装置と基板サポートモジュールとの間の接触を実質的に防止するように配置されている。従ってエンドストップは、基板サポートモジュールの方への露光装置の移動、又はその逆の移動を制限するように配置されている。水圧アクチュエータがエンドストップに到達した場合、露光装置及び基板サポートモジュールは相互に離間されたままであり、従って相互に接触しない。これに加えて又はこの代わりに、エンドストップは、調整アセンブリの水圧系が排水された場合に固定のサポートを与えるように提供されている。この場合、エンドストップは、水圧系が空になったらサポート要素を点検位置（ｓｅｒｖｉｃｅ  ｐｏｓｉｔｉｏｎ）に配置することで、例えば輸送中に、サポートフレーム、露光装置、及び／又は第１のベローズの損傷を防止する。
【００４１】
一実施形態において、基板露光システムは筐体を更に備え、露光装置及び基板サポートモジュールは少なくとも部分的に筐体の内部に配置され、水圧アクチュエータは筐体の内部に配置されると共に水圧ジェネレータは筐体の外部に配置されている。
【００４２】
一実施形態において、筐体は壁を含み、導管はこの壁を貫通する。これによって水圧アクチュエータをチャンバ内に、水圧ジェネレータをチャンバ外に配置することを可能とする。水圧アクチュエータ及び水圧ジェネレータを接続する導管は、水圧系を形成するために壁を介して延出している。
【００４３】
一実施形態において、筐体は真空チャンバとして機能するように構成され、筐体は、使用時に筐体内部で真空又は減圧を生成するための真空ポンプに結合され、好ましくは、少なくとも水圧アクチュエータは真空対応（ｖａｃｕｕｍ  ｃｏｍｐａｔｉｂｌｅ）である。真空チャンバによって、チャンバ内部に配置された露光装置の少なくとも一部のための真空環境を確立することができ、更に、電界及び／又は磁界のような外部の影響から遮蔽することができる。基板露光システムが荷電粒子リソグラフィシステム又はＥＵＶリソグラフィシステムを含む場合、真空チャンバは、基板の露光に適した環境を提供する。一実施形態において、好ましくは第１のベローズである水圧アクチュエータは真空対応である。
【００４４】
スループット増大のため、すなわちリソグラフィシステムで１時間当たりに露光されるウェーハ数を増やすため、筐体内で利用できる空間を効率的に使用することが要求されている。これは例えば、システムの大きさを縮小して、より多くのシステムを工業環境における特定の面積内に配置可能とするためである。このように筐体内で利用できる空間を効率的に使用する結果として、筐体内に収容された露光装置に対するアクセスは抑制され限定される。本発明に従った調整アセンブリは、筐体内の水圧アクチュエータによって基板サポートモジュールに対する露光装置の位置を調整することができるが、調整アセンブリの作動は筐体外の水圧ジェネレータによって実行される。
【００４５】
一実施形態において、フレームは、下壁、側壁、及び上壁を備え、基板サポートモジュールは下壁の上に配置され、露光装置は、側壁のうち１つ以上又は上壁に接続されている。好ましくは、フレームの側壁は少なくとも部分的に露光装置の周りに配置されている。好ましくは、フレームの下壁、側壁、及び上壁は、ボックス又はボックスの一部を形成するように配置されている。下壁、側壁、及び上壁を備えたフレームは、特にボックス又はボックスの一部を形成するように配置されている場合、実質的に剛性の構成を提供できる。これらの壁が実質的に矩形を形成するように配置されている場合、特にボックスの様々な壁の角度配置とそれらの壁の相互接続によって、フレームの剛性は向上する。これらの壁を、露光装置及び／又は基板サポートモジュールを支持するためのフレームの少なくとも一部として使用することができる。このため、ボックスの少なくとも一部は、機械的に連結された一連のコンポーネントの一部である。
【００４６】
好ましくは、ばね要素は、ボックス又はボックス形フレームの内部に、具体的には露光装置とボックスの壁との間に配置されている。露光装置及び基板サポートモジュールは、好ましくはボックスの内部に配置されている。
【００４７】
一実施形態において、導管は、ボックス又はボックス形フレームの下壁、側壁、及び上壁のうち１つを貫通する。これによって水圧アクチュエータをボックス内に、水圧ジェネレータをボックス外に配置することができる。
【００４８】
一実施形態において、ボックス又はボックス形フレームは筐体内に配置され、ボックスの下壁、側壁、及び上壁のうち少なくとも１つに貫通開口アレイを設けることができる。貫通開口は、筐体が真空チャンバとして機能するように構成されている場合は特に適切である。貫通開口は、ボックスの内部からボックスの外部への流路を提供するように配置されている。筐体が真空ポンプに結合され、真空ポンプが筐体内に真空圧を生成するため活性化された場合、ボックスの内部からボックスの外部への流路によってボックス内部に真空圧を生成することができる。
【００４９】
一実施形態において、下壁、側壁、及び上壁のうち少なくとも１つには遮蔽層が設けられ、この遮蔽層は好ましくはμ金属（μ−ｍｅｔａｌ）層を含む。遮蔽層は、フレーム内部の空間を、静磁界及び動磁界の双方の外部磁界から少なくとも部分的に遮蔽するように構成されている。この実施形態は、基板を露光するため荷電粒子を用いる露光装置では特に有用である。
【００５０】
一実施形態において、露光装置は閉鎖部（ｅｎｃｌｏｓｕｒｅ）内に配置され、閉鎖部はフレームに対して移動可能に接続されている。閉鎖部は、好ましくは露光装置を実質的に取り囲む。一実施形態において、閉鎖部はばね要素に接続されている。
【００５１】
一実施形態において、閉鎖部は筐体内に配置され、閉鎖部は貫通開口アレイが設けられた少なくとも１つの壁を含む。別の実施形態において、閉鎖部はボックス内に配置されている。貫通開口は、上述の記載と同様、閉鎖部の内部から閉鎖部の外部への流路を与えるように配置されている。
【００５２】
一実施形態において、閉鎖部には遮蔽層が設けられ、この遮蔽層は好ましくはμ金属層を含み、上述した遮蔽層と同様に機能する。
【００５３】
一実施形態において、基板露光システムは３つの調整アセンブリを備えている。これによって、機械的に連結されたコンポーネントの第１及び第２の部分の相対的な位置及び／又は相対的な向きを調整することができる。一実施形態において、３つの調整アセンブリは、露光装置及び／又は基板サポートモジュールを中心とした三角形又は三角形構成を形成するように配置されている。一実施形態において、３つの調整アセンブリは、露光装置及び／又は基板サポートモジュールに接続されている及び／又は露光装置及び／又は基板サポートモジュールを（部分的に）支持している。これによって、露光装置及び基板サポートモジュールの位置及び／又は向きを相互に調整するための３自由度が得られる。３つの調整アセンブリの各々が、第１のベローズによって実質的に垂直な方向の変位を与えるように構成されている場合、３つの調整アセンブリは、垂直Ｚ方向、水平Ｘ軸を中心とした傾き、及びＹ軸を中心とした傾きを調整し、３自由度を与える。
【００５４】
一実施形態において、システムはリソグラフィシステムであり、露光装置はリソグラフィシステムの光学コラムを含む。
【００５５】
一実施形態において、露光装置は荷電粒子ビーム光学コラムを含む。一実施形態において、露光装置はマルチビーム荷電粒子光学コラムを含む。一実施形態において、露光装置はマルチビーム荷電粒子リソグラフィシステム又は検査装置を含む。
【００５６】
第４の態様に従って、本発明は、上述した基板露光システムにおいて基板サポートモジュールに対する露光装置の位置を調整するための方法を提供する。この方法は、
機械的に連結された一連のコンポーネントの第２の部分に対する第１の部分の相対位置の変化を与える水圧アクチュエータを作動させるため水圧ジェネレータを駆動するステップを含む。
【００５７】
一実施形態において、この方法は、機械的に連結された一連のコンポーネントの第２の部分に対する第１の部分の位置を測定するか、又は機械的に連結された一連のコンポーネントの第２の部分に対する第１の部分の位置の変化を測定するステップを更に含む。
【００５８】
一実施形態において、この方法は、
測定された位置又は位置の変化に従って制御信号を発生させるステップと、
制御信号に従って水圧ジェネレータを駆動するステップと、
を更に含む。
【００５９】
様々な態様、様々な態様の実施形態、及び上述した特徴は、組み合わせることができる。
【００６０】
本明細書に記載され図示されている様々な態様及び特徴は、可能であれば個別に適用することができる。これらの個別の態様、特に、添付の従属クレームに記載されている態様及び特徴は、分割特許出願の主題となり得る。
【図面の簡単な説明】
【００６１】
本発明について、添付図面に示されている例示的な実施形態に基づいて説明する。
【００６２】
【図１】本発明に従った基板露光システムの第１の例を概略的に示す。
【図２】本発明に従った基板露光システムの第２の例を概略的に示す。
【図３】本発明に従った水圧系の一例を概略的に示す。
【図４Ａ】マルチビーム荷電粒子ビームリソグラフィシステムを提供するため、図１又は図２の基板露光システムにおいて使用される露光装置の一例を概略的に示す。
【図４Ｂ】光学リソグラフィシステムを提供するため、図１又は図２の基板露光システムにおいて使用される露光装置の一例を概略的に示す。
【図４Ｃ】荷電粒子ビーム顕微鏡システムを提供するため、図１又は図２の基板露光システムにおいて使用される露光装置の一例を概略的に示す。
【発明を実施するための形態】
【００６３】
図１は、本発明に従った基板露光システム１の第１の実施形態を概略的に示す。垂直方向はＺ方向に相当し、水平方向はＹ方向に相当する。Ｘ方向はＹ方向及びＺ方向の双方に対して垂直であり、紙面内及び紙面外へ向かう方向に延出している。
【００６４】
基板露光システム１は、フレーム２と、基板５を担持するための基板サポートモジュール３と、半導体ウェーハ等の基板５に電磁放射又は荷電粒子の１又は複数のビームを投影するための露光装置４と、を備えている。
【００６５】
基板露光システム１は、露光装置４及び基板サポートモジュール３を実質的に取り囲む筐体１１を備えている。露光装置４が、ＵＶ、深ＵＶ（ＤＵＶ）、極端ＵＶ（ＥＵＶ）、Ｘ線ビーム、又は荷電粒子ビームを使用するために構成されている場合、筐体１１は真空チャンバとして機能するよう構成され、使用時に筐体１１は、筐体１１の内部に真空又は減圧を生成するための真空ポンプ６に結合される。
【００６６】
筐体１１の内部にフレーム２が配置されている。図示されている実施形態では、フレーム２及び筐体１１は共通の下壁１２を有する。フレーム２は更に、側壁２２、後壁２２ｂ、及び上壁２３を含む。フレーム２は２つの側壁２２及び１つの後壁２２ｂを含み、これらは下側が共通の下壁１２に接続され、上側が上壁２３に接続されている。共通の下壁、２つの側壁２２、後壁２２ｂ、及び上壁２３は相互に接続されて、好ましくは矩形のボックス形フレーム２であるボックス形フレーム２を提供する。あるいは、側壁２２を相互に離間して配置すること、及び／又はフレームを壁の代わりにロッド及び／又は棒（ｂｅａｍ）で形成された構造によって提供することも可能である。
【００６７】
側壁２２及び上壁２３には、ボックス形フレーム２の内側と外側との間の流路を可能とする貫通孔２４が設けられ、筐体１１の内部全体にわたって真空又は減圧を生成及び維持する。
【００６８】
基板サポートモジュール３は共通の下壁１２上に配置されている。基板サポートモジュール３は、２つのＸステージベース３１を備えたＸＹステージを含む。各Ｘステージベース３１はＸステージ往復台３２を担持している。Ｘステージ往復台３２は、このＸステージ往復台３２をＸステージベース３１に沿って駆動するための各アクチュエータＡ１、Ａ２に接続されている。Ｘステージ往復台３２の上に、Ｘステージ往復台３２の間の空間に延出するＹビーム３３が配置されている。Ｙビーム３３の上にＹビーム往復台３４が配置されている。Ｙビーム往復台３４は、このＹビーム往復台３４をＹビームに沿って駆動するためのアクチュエータ（図示せず）を含む。Ｙビーム往復台３４の上に、基板５を担持するチャック３６をＸ方向、Ｙ方向、及び／又はＺ方向、並びに１つ以上の回転方向Ｒｚ、Ｒｘ、Ｒｙに移動させるための位置決めデバイス３５が配置されている。位置決めデバイス３５は典型的に電気モータを含む。
【００６９】
図１に示されているように、ボックス形フレーム２の側壁２２及び後壁２２ｂには、各壁２２、２２ｂに堅固に接続されたブラケット２５が設けられている。図１に示す正面側から見られるように、ボックス形フレーム２には、図１に示す左側と右側の壁２２に１つずつと後壁２２ｂに１つ、計３つのブラケット２５が設けられている。
【００７０】
ブラケット２５の各々の上に、第１のサポート部材２６を支持するための第１のベローズ７１が配置されている。第１のサポート部材２６は、ばね要素８１を介して第２のサポート部材２７に接続されている。更に、第１及び第２のサポート部材間には制振要素８２が配置されている。ばね要素８１及び制振要素８２は、第２のサポート要素２７を振動から少なくとも部分的に絶縁するように構成されている。
【００７１】
図１に示されているように、露光装置４は露光装置フレーム４１上に配置されている。この露光装置フレーム４１は、複数の振り子ロッド２８によって第２の部材２７に接続されている。露光装置４は、例えば図４Ａ〜図４Ｃを参照して記載される露光装置とすることができる。
【００７２】
露光装置４は閉鎖部４２内部に配置されている。閉鎖部４２は、露光装置４を実質的に取り囲み、露光装置フレーム４１に接続することができる。
【００７３】
図１に示されているように、閉鎖部４２はボックス形フレーム２の内部に配置されている。また、閉鎖部４２は、貫通孔４３のアレイが設けられた少なくとも１つの壁を含むことができる。貫通孔４３のアレイは、閉鎖部４２の内部から閉鎖部４２の外部への流路を提供するように配置され、閉鎖部４２の内部にも真空を生成することを可能とする。
【００７４】
図１の実施形態では、ボックス形フレーム２及び閉鎖部４２の双方に、露光装置４を磁界から遮蔽するための遮蔽層５１、５２が設けられている。遮蔽層５１、５２はμ金属層を含むことが好ましい。
【００７５】
上述のように、基板サポートモジュール３は、機械的に連結された一連のコンポーネントを介して露光装置４に接続されている。この機械的に連結された一連のコンポーネントは、ボックス形フレーム２の共通の下壁１２、ボックス形フレーム２の側壁２２及び後壁２２ｂ、ブラケット２５、第１のベローズ７１、第１のサポート部材２６、ばね要素８１及び制振要素８２、第２のサポート部材２７、振り子ロッド２８、及び露光装置フレーム４１を含む。
【００７６】
本記載の導入部で検討したように、ばね要素８１においてクリープが発生する可能性がある。これによって、基板サポートフレーム３に対する露光装置４の位置が設定位置からずれる。
【００７７】
このクリープを補償するため、基板露光システム１は、基板サポートモジュール３に対する露光装置４の相対位置を調整するための機械的調整アセンブリを備えている。図１に示されている機械的調整アセンブリは、第１のベローズ７１と、水圧系を形成するため導管７３によって第１のベローズ７１に接続された、後述される第２のベローズ７２と、を含む。第１のベローズ７１は、機械的に連結された一連のコンポーネントの第１の部分を機械的に連結された一連のコンポーネントの第２の部分に対して移動させるように構成されている。機械的に連結された一連のコンポーネントの第１の部分は、第１のサポート部材２６、ばね要素８１及び制振要素８２、第２のサポート部材２７、振り子ロッド２８、露光装置フレーム４１、並びに露光装置４を含む。機械的に連結された一連のコンポーネントの第２の部分は、ブラケット２５、ボックス形フレーム２の側壁２２及び後壁２２ｂ、ボックス形フレーム２の下壁１２、並びに基板サポートモジュール３を含む。第１のベローズ７１を作動させることによって、機械的に連結された一連のコンポーネントの第１の部分を、機械的に連結された一連のコンポーネントの第２の部分に対して移動させることができる。
【００７８】
図１に示されているように、第１のベローズ７１は導管７３によって第２のベローズ７２に接続されている。第１のベローズ７１は、水圧ジェネレータとして作用するよう構成された第２のベローズ７２によって作動させることができる水圧アクチュエータとして作用するように構成されている。第１のベローズ７１、第２のベローズ７２、及び導管７３は、少なくとも使用時に作動液が充填されている。導管７３で相互接続された第１のベローズ７１と第２のベローズ７２の組み合わせが提供する単純な水圧系において、作動液は、第１のベローズ７１、第２のベローズ７２、及び導管７３によって与えられる実質的に一定の体積内に閉じ込められる。第２のベローズ７２を収縮させた場合、これは、第１のベローズ７１を膨張させる効果を有する流れを導管７３内に誘発する。同様に、第２のベローズ７２を膨張させると、第１のベローズ７１を収縮させる効果を有する反対の流れを導管７３内に誘発する。
【００７９】
図１に概略的に示されているように、導管７３は、筐体１１内の第１のベローズ７１を筐体１１外の第２のベローズ７２に接続するため、筐体１１の壁及びフレーム２を横断するよう配置されている。第２のベローズ７２は筐体１１外で容易にアクセス可能であり、筐体１１内の第１のベローズ７１を活性化して基板サポートモジュール３に対する露光装置４の位置を移動及び／又は再調整するため、筐体１１の外で作動させることができる。３つの第１のベローズ７１が露光装置４の周りに、具体的には露光装置４の上方に、三角形の構成で配置されているので、これら３つの第１のベローズ７１によって第１のサポート部材２６を移動させて、Ｚ方向に並進させること、Ｘ方向を中心として及び／又はＹ方向を中心として傾斜させることができる。
【００８０】
システム１には、ボックス形フレーム２の側壁２２に対する閉鎖部４２の位置又は位置の変化を測定し、従って露光装置４の位置を測定するように構成されたセンサ５３が設けられている。センサ５３は閉鎖部４２の外側に接続され、ボックス形フレーム２の側壁２２までの距離、具体的には、ボックス形フレーム２の側壁２２上の固定位置に配置されたターゲット（図示せず）までの距離を測定する。あるいは、センサ５３をフレームの側壁２２の内側に接続して、閉鎖部４２の外側までの距離を測定してもよい。閉鎖部４２は、機械的に連結された一連のコンポーネントの第１の部分に属し、ボックス形フレーム２の側壁２２は、機械的に連結された一連のコンポーネントの第２の部分に属する。
【００８１】
センサ５３は、ボックス形フレーム２の側壁２２に沿った固定位置に対する露光装置４の少なくとも垂直位置又は垂直位置の変化を測定するように構成されている。ばね要素８１は、露光装置４とフレーム２との間に弾性接続を提供する。この弾性接続は、垂直方向又はＺ方向に大きい可撓性を与える。ばね要素８１は、第２のサポート部材２７、振り子ロッド２８、露光装置フレーム４１、閉鎖部４２、及び露光装置４の重量による実質的に垂直方向の力を常に受けている。この垂直方向の力はばね要素８１にクリープを誘発する可能性があり、結果として、露光装置４と基板サポートモジュール３との間、特に基板５を担持するチャック３６との間の距離にずれが生じる。このずれがセンサ５３によって測定される。位置のある程度のずれが測定された場合、フレーム２に対して露光装置４を移動させてクリープによる位置のずれを適切に打ち消すため、露光システム１外の対応する１つ以上の第２のベローズ７２を作動させることによって、フレーム２とばね要素８１との間に配置された第１のベローズ７１のうち１つ以上を作動させる。
【００８２】
好ましくは、図１に概略的に示されているようにシステム１は、閉鎖部４２の左側に１つ、閉鎖部４２の右側に１つ、及び閉鎖部４２の後ろ側に１つ（図示せず）の、計３つのセンサ５３が設けられている。センサ５３の各々は、好ましくは、センサ５３が少なくともＺ軸に沿った垂直位置を測定するように配置されている。センサ５３は、Ｘ軸に沿った水平位置及び／又はＹ軸に沿った水平位置も測定するため別の構成を含むことができる。例えば、センサ５３の各々は、相互に実質的に垂直に配置された２つの検出器を含み得る。図１の閉鎖部４２の左側に示されているセンサ５３は、Ｘ軸及びＺ軸に沿った位置を測定するための２つの検出器を含む。図１の閉鎖部４２の右側に示されているセンサ５３は、Ｘ軸及びＺ軸に沿った位置を測定するための２つの検出器を含む。閉鎖部４２の後ろ側のセンサ（図示せず）は、Ｙ軸及びＺ軸に沿った位置を測定するための２つの検出器を含む。センサ５３の各々は、ボックス形フレーム２の側壁２２及び後壁２２ｂに固定されたターゲットに対するセンサの位置を測定するように構成されている。しかしながら、本発明の調整アセンブリでは、特にＺ軸に沿った位置を測定するための３つのセンサ５３が重要である。
【００８３】
システム１には、センサアセンブリ５３から位置データを受信するよう構成された制御ユニットが設けられている。制御ユニットは、好ましくは第２のベローズ７２ごとに１つずつ備えられた駆動ユニットの一セットを制御するように構成されており、センサ５３からのデータに基づいて第１のベローズ７１を作動させるため第２のベローズ７２を駆動するように駆動ユニットを作動させる。図２に、このような制御システムが概略的に示されている。
【００８４】
図２は、本発明に従った基板露光システム１’の第２の実施形態を示す。この実施形態において、基板サポートモジュール３は第３のサポート部材２９の上に配置されている。第３のサポート部材２９の下に、いくつかの第１のベローズ７１’が配置されている。これらの第１のベローズ７１’は、フレーム２’の下壁２１と第３のサポート部材２９との間に配置されている。第１のベローズ７１’は、導管７３’を介して第２のベローズ７２’と接続されて、フレーム２’の下壁２１に対して第３のサポート部材２９を移動させることができる水圧系を形成する。
【００８５】
第１のサポート部材２６は３つのサポートポスト２２２の上に配置されている。３つのサポートポスト２２２は、フレーム下壁２１上の三角形の頂点に配置され、Ｚ方向に、フレーム下壁２１に対して実質的に垂直に延出している。好ましくは、露光装置４は実質的に、３つのサポートポスト２２２で形成された三角形の中心点に配置されている。従って基板サポートモジュール３は、機械的に連結された一連のコンポーネントを介して露光装置４に接続されている。この機械的に連結された一連のコンポーネントは、第３のサポート部材２９、第１のベローズ７１’、フレーム２’の下壁２１、フレーム２’のサポートポスト２２２、第１のサポート部材２６、ばね要素８１及び制振要素８２、第２のサポート部材２７、振り子ロッド２８、及び露光装置フレーム４１を含む。
【００８６】
ばね要素８１で発生する可能性のあるクリープを補償するため、基板露光システム１は、基板サポートモジュール３に対して露光装置４の相対位置を調整するための機械的調整アセンブリを備えている。図２に示されている調整アセンブリは、第１のベローズ７１’、第２のベローズ７２’、及び導管７３’を含む。第１のベローズ７１’は、機械的に連結された一連のコンポーネントの第１の部分を機械的に連結された一連のコンポーネントの第２の部分に対して移動させるように構成されている。機械的に連結された一連のコンポーネントの第１の部分は、フレーム２’の下壁２１、フレーム２’のサポートポスト２２２、第１のサポート部材２６、ばね要素８１及び制振要素８２、第２のサポート部材２７、振り子ロッド２８、露光装置フレーム４１、及び露光装置４を含む。機械的に連結された一連のコンポーネントの第２の部分は、第３のサポート部材２９及び基板サポートモジュール３を含む。第１のベローズ７１’を作動させることによって、機械的に連結された一連のコンポーネントの第２の部分を、機械的に連結された一連のコンポーネントの第１の部分に対して移動させることができる。第１のベローズ７１’は、水圧ジェネレータとして作用するよう構成された第２のベローズ７２’によって作動させることができる水圧アクチュエータとして作用するように構成されている。導管７３’で相互接続された第１のベローズ７１’と第２のベローズ７２’の組み合わせは、図１を参照して記載した水圧系と同様の水圧系を提供する。
【００８７】
図２に概略的に示されているように、導管７３’は、筐体１１内の第１のベローズ７１’を筐体１１外の第２のベローズ７２’に接続するため、筐体１１の壁を横断するよう配置されている。好ましくは、導管７３’は、フレーム２’内の第１のベローズ７１’をフレーム２’外の第２のベローズ７２’に接続するため、フレーム２’のサポートポスト２２２を通り越して横方向に横断するよう配置されている。第２のベローズ７２’は筐体１１外で容易にアクセス可能であり、筐体１１内の第１のベローズ７１’を活性化して露光装置４に対する基板サポートモジュール３の位置を移動させる及び／又は再調整するため、筐体１１外で作動させることができる。図２に示されている例では、第１のベローズ７１’はＸステージベース３１の実質的に直下に配置されている。
【００８８】
図２に示されているように、システム１’には、図１の実施形態と同様に、フレーム２’のサポートポスト２２２に対する閉鎖部４２の位置又は位置の変化を測定するように構成されたセンサ５３が設けられている。図２の実施形態はこれに加えて、第３のサポート部材２９及び／又はＸステージベース３１の外側に接続された、フレーム２’のサポートポスト２２２までの距離を測定するように構成された別のセンサ５４を備えている。あるいは、別のセンサ５４をフレームのサポートポスト２２２の内側に接続して、第３のサポート部材２９及び／又はＸステージベース３１の外側までの距離を測定してもよい。具体的には、別のセンサ５４は、フレーム２’のサポートポスト２２２に対する基板サポートモジュール３の位置又は位置の変化を測定するように構成されている。
【００８９】
別のセンサ５４は、フレーム２’のサポートポスト２２２に沿った固定位置に対する基板サポートモジュール３の少なくとも垂直位置又は垂直の位置の変化を測定するように構成されている。
【００９０】
図１を参照して上述したように、ばね要素８１は、露光装置４とフレーム２’との間に、実質的に垂直方向又はＺ方向の可撓性を与える弾性接続を提供する。ばね要素８１は、これにクリープを誘発する可能性のある実質的に垂直方向の力を受け、結果として、フレーム２’のサポートポスト２２２に沿った露光装置４の位置にずれが生じる。このずれがセンサ５３によって測定される。位置のある程度のずれが測定された場合、フレーム２’に対して基板サポートモジュール３を移動させることでフレーム２’に沿ったサポートモジュール３の位置の実質的に同様のずれを与えるため、露光システム１’外の第２のベローズ７２’のうち対応する１つ以上を作動させることによって、第１のベローズ７１’のうち１つ以上を作動させる。後者のずれは、センサ５３によって測定されるフレーム２’に沿った露光装置４の位置のずれと同様に、別のセンサ５４によって測定される。
【００９１】
図２に概略的に示されており、図１の実施形態にも適用可能であるように、センサ５３は制御ユニット９に結合されて、フレーム２’のサポートポスト２２２に対する露光装置４の相対位置の位置データを供給する。更に、別のセンサ５４も制御ユニット９に接続されて、フレーム２’のサポートポスト２２２に対する基板サポートモジュール３の相対位置の位置データを供給する。センサ５３及び別のセンサ５４の位置データから、制御ユニット９は、基板サポートモジュール３、具体的には使用時に基板５を担持するチャック３６に対する露光装置４の相対位置及び／又は向きを決定することができる。
【００９２】
制御ユニット９は駆動ユニット９１に結合されている、具体的には、第２のベローズ７２’の各々に１つずつ駆動ユニット９１がある。各駆動ユニット９１は、対応する第１のベローズ７１’を作動させるために対応する第２のベローズ７２’を収縮又は膨張させるように構成されている。駆動ユニット９１は、第２のベローズ７２’と同様、筐体１１外に位置付けられている。
【００９３】
制御ユニット９が、基板サポートモジュール３に対する露光装置４の相対位置及び／又は向きが設定位置からずれていることを検出すると、制御ユニット９は、基板サポートモジュール３に対する露光装置４の相対位置及び／又は向きのずれを補償するため、第３のサポート部材２９及び基板サポートモジュール３を移動させることを目的として、第１のベローズ７１’を作動させるため対応する第２のベローズ７２’を収縮又は膨張させるように駆動ユニット９１の１つ以上を作動させるための制御信号を駆動ユニット９１に送信する。図２に概略的に示されているように、駆動ユニット９１はリニアアクチュエータを含む。駆動ユニット９１は、リニアアクチュエータを移動させるためのモータを含み、これは好ましくはステッパモータである。
【００９４】
制御ユニットが第２のベローズの各々の駆動ユニットに結合されている構成は、図１に示されている実施形態においても使用できる。
【００９５】
更に、フレーム２，２’の様々な構成と共に本発明を使用できることに留意するべきである。第１の実施形態では、フレーム２はボックス形フレームであり、側壁２２、２２ｂに取り付けられたブラケット２５によって露光装置４が担持されている。第１の実施形態のようにブラケット２５の上に第１のベローズ７１を位置決めすることに加えて又はその代わりに、第１のベローズを基板サポートモジュール３よりも下方に位置決めしてもよい。第２の実施形態では、フレーム２は露光装置４を担持するための三角形構成の３つのサポートポスト２２２を含む。第２の実施形態のように基板サポートモジュール３よりも下方に第１のベローズ７１’を位置決めすることに加えて又はその代わりに、第１のベローズを３つのサポートポスト２２２の上に設けてもよい。
【００９６】
更に、図２に示されている実施形態では、筐体１１とフレーム２との間に相互接続要素１１２が配置されていることに留意するべきである。しかしながら、この代わりに、フレーム２及び筐体１１が図１の第１の例に示されているような共通の下壁を有することも可能である。
【００９７】
図３は、本発明に従った水圧系を含む機械的調整アセンブリの一実施形態を概略的に示す。典型的に、１つの調整アセンブリ当たり３つのこのような水圧系が使用される。３つの水圧系によって３自由度で、すなわちＺ方向、Ｘ軸を中心とした回転（Ｒｘ）、及びＹ軸を中心とした回転（Ｒｙ）で、サポート要素を調整することが可能となる。調整アセンブリは第１のベローズ４０３を含む。このベローズは、機械的に連結された一連のコンポーネントの第１の部分と第２の部分との間に配置されており、具体的には、調整アセンブリが配置されているシステムに対する要件に応じて、図１又は図２の露光システムのような露光システムの内部、又は点線１１０で概略的に表されている閉鎖部もしくは筐体の内部に配置されている。
【００９８】
第１のベローズ４０３の内部体積は、第２のベローズ４０１の内部体積に相互接続するための導管４０２と流体連通している。第１のベローズ４０３、導管４０２、及び第２のベローズ４０１には、水圧系を形成するための、好ましくは水である作動液が充填されている。第２のベローズ４０１を収縮させた場合、作動液は第２のベローズ４０１から導管４０２を介して第１のベローズ４０３に流れ、これは第１のベローズ４０３を膨張させる効果を有する。同様に、第２のベローズ４０１を膨張させると、導管４０２に反対の流れを誘発することで第１のベローズ４０３を収縮させる。この構成では、第２のベローズ４０１及び第１のベローズ４０３の双方の直径を変動させ、従って内部体積を変動させることにより、第１のベローズと第２のベローズとの間の移動比（ｔｒａｎｓｆｅｒ  ｒａｔｉｏ）を調整することが可能となる。これらのベローズの体積の比が移動比を決定する。比Ｉでは、第２のベローズ４０１を距離Ｓ１だけ収縮させた場合、第１のベローズ４０３は距離Ｓ１／Ｉだけ膨張する。これに対し、第２のベローズ４０１を距離Ｓ１だけ収縮させるために必要な力Ｆ１によって、第１のベローズ４０３には力Ｆ１＊Ｉが加わる。従って、第２のベローズ４０１に加えるよりも大きいか又ははるかに大きい力を第１のベローズ４０３に与えることができる。
【００９９】
例えば図１及び図２を参照して上述したように、第２のベローズ４０１は、第１のベローズ４０３が担持するサポート要素の調整を可能とするように作動させることができる。一実施形態において、第２のベローズ４０１はアクチュエータ機構４０４によって作動される。アクチュエータ機構４０４は例えば、回転運動を直線運動Ｍ１に変換する機械的リニアアクチュエータ４０５を含む。直線運動Ｍ１を用いて第２のベローズ４０１を膨張又は収縮させる（Ｍ２）ことができ、これは次いで第１のベローズ４０３の収縮又は膨張Ｍ３を生じる。好ましくは、第２のベローズ４０１に接触して第２のベローズ４０１を収縮させるように配置されたねじ切りされたねじ（ｔｈｒｅａｄｅｄ  ｓｃｒｅｗ）４０６を含む自己係止機械的リニアアクチュエータ４０５が使用される。ねじ切りされたねじ４０５は、好ましくは、第２のベローズ４０１に対して固定位置にあるねじ切りナット内で回転するように構成されている。ねじ切りされたねじ４０５及びナットのピッチは、ねじ４０５の回転力が取り除かれた場合に機械的リニアアクチュエータ４０４が設定位置に留まって第１のベローズ４０３及びこれが担持するサポート要素の位置を維持するようになっている。
【０１００】
一実施形態において、機械的リニアアクチュエータ４０４は手動で作動される。あるいは機械的リニアアクチュエータ４０４は、ねじ切りされたねじ４０５の回転を駆動するため、好ましくはステッパモータであるモータ（図示せず）によって作動される。ステップモータは、小さい離散的な調整ステップを機械的リニアアクチュエータに与える。これにより、例えば制御システムを用いて、サポート要素の位置を少しずつ自動的に調整することができる。機械的リニアアクチュエータのねじ機構は増力器（ｆｏｒｃｅ  ｍｕｌｔｉｐｌｉｅｒ）として作用するので、最大で１：１０００の大きい機械的な比が得られる。更に、第２のベローズ４０１の膨張又は収縮によって生じる第１のベローズ４０３の膨張又は収縮はＩ分の１であるので、第１のベローズ４０３の移動を正確に制御することが可能となる。実際には、本発明に従った調整アセンブリは数ミリメートルの移動を行うと共にマイクロメートルの精度で位置決めすることができる。動作中、調整アセンブリは第１のベローズ４０３において大きな力を与える。
【０１０１】
第１のベローズ４０３、導管４０２、及び第２のベローズ４０１がスチールで作製されている場合、調整アセンブリは充分な剛性であることが保証される。充分に剛性でない調整アセンブリの部分は使用中にばねとして作用するが、これは調整アセンブリの不要な移動を招き、システムを共振させる固有周波数の変化を生じる可能性があるので、調整アセンブリにとって望ましくない。更に、スチールの導管及びベローズは真空対応とすることができ、これは調整アセンブリを真空チャンバ内に収容する場合に必要である。
【０１０２】
水圧系は、システムを充填する及び／又は空にするためのブリード弁３０９を備えている。ブリード弁３０９は、好ましくは水圧系の最も低い位置に含まれ、好ましくはシステムの筐体１１０の外側に配置される。
【０１０３】
第１のベローズ４０３は、好ましくは、水圧系が空になった場合にベローズの完全な収縮を防止するための内部エンドストップ３０８を備えている。この代わりに外部エンドストップを使用してもよい。エンドストップ３０８は、水圧系が空になった場合にサポート要素を点検位置に配置することで、サポートフレーム、サポート要素、及び第１のベローズに対する損傷を防止する。モジュールは更に、好ましくは真空ポンプであるポンプ３０５に接続するためのバルブ３０４ａと、作動液タンク３０６に接続するためのバルブ３０４ｂと、を備えている。バルブ３０４ａ及び３０４ｂは導管３０２に沿って配置されるか、又は継手３０４で共に接続してもよい。この配置では、最初に必要に応じてバルブ３０９によってシステムを空にし、真空ポンプ３０５を用いてシステムを特定の真空圧までポンピングし、ポンピングの後システムにタンク３０６から液体を充填することで、制御しながら水圧系を充填することが可能となる。システムを充填するため、及びベローズと導管に空気が取り込まれないことを保証するために、５０ｍｂａｒ未満の真空圧、好ましくは１０ｍｂａｒ未満の真空圧が充分であることがわかっている。取り込まれた気泡はばねとして作用するので、水圧系では望ましくない。使用中、システム内の圧力は約６バールである。スチールの導管とベローズ、システム内の加圧液体、更には空気の欠如を組み合わせることによって、システムは、数百キログラムの重量となり得る露光システムのコンポーネントを正確に担持し位置決めすることができる。
【０１０４】
本発明に従った調整アセンブリは、様々な種類の露光システムにおいて有利に適用できることがわかっている。そのような露光システムは例えば、リソグラフィシステム、電子顕微鏡、ウェーハ検査ツール、又は、一部を既知の位置及び／又は向きに配置する必要があり、経時的にドリフトが発生する可能性のある任意のシステムである。このドリフトは、システム内に弾性又は可撓性の要素が適用されない場合であってもシステム内で発生する。そのようなシステムでは、アクセスが限定されているチャンバ、筐体、又は閉鎖部内に、システムのモジュール又は部分を正確に位置決めする必要がある。従って、本発明に従った調整アセンブリはリソグラフィシステムに限定されない。
【０１０５】
図４Ａから図４Ｃは、例えば図１及び図２を参照して上述したシステムのうち１つにおいて使用される露光装置の例を示している。
【０１０６】
図４Ａは、露光装置フレーム４１上に配置されたマルチビーム荷電粒子リソグラフィシステム４４０のための露光装置の一例を示している。マルチビーム荷電粒子リソグラフィシステム４４０は、露光装置フレーム４１に対して個別に設置及び除去することができるモジュール４４１、４４２、４４３、４４４として構成されている。
【０１０７】
上部モジュール４４１は、荷電粒子、具体的には電子の発散ビーム４４６を発生させるように構成された荷電粒子源４４５を含む。発散荷電粒子ビーム４４６はコリメータレンズ４４７によってコリメートされる。コリメートされた荷電粒子ビームは次いでアパーチャアレイ４４８に到達する。アパーチャアレイ４４８は、複数のビームレット、具体的には実質的に平行なビームレット４４９のアレイを発生させる。
【０１０８】
複数の実質的に平行なビームレット４４９のアレイは、ビームレットブランカ（ｂｅａｍｌｅｔ  ｂｌａｎｋｅｒ）アレイとも称される偏向器アレイ４５０を含む後段のモジュール４４２に誘導される。偏向器アレイ４５０は、ビームレット４４９の各々に１つずつ偏向器を含む。各偏向器は、個々のビームレット４４９を偏向させるように、又は個々のビームレット４４９を偏向させず通過させるように構成されている。後段の下部モジュール４４３に、アパーチャのアレイが設けられたビームストップアレイ４５１が配置されている。個々のビームレット４４９は、偏向器アレイ４５０の対応する偏向器によって偏向されていない場合、ビームストップアレイ４５１の対応するアパーチャを通過する。個々のビームレット４４９は、偏向器アレイ４５０の対応する偏向器によって偏向される場合、ビームストップアレイ４５１のアパーチャから離れる方へ偏向されて、アパーチャの周りのビームストップアレイ４５１の部分に入射する。偏向アレイ４５０とビームストップアレイ４５１の組み合わせにより、個々のビームレット４４９を効果的にオン又はオフに切り換えることができる。
【０１０９】
アパーチャアレイ４５１を通過したビームレット４４９は、後段の下部モジュール４４４内のレンズアレイ４５２の方へ誘導される。レンズアレイ４５２は、荷電粒子ビームレット４４９を基板５の表面に集光するためのレンズアレイを備えている。このモジュール４４４は、基板５の表面全体でビームレット４４９のアレイをスキャンするための１つ以上の偏向器も備えることができる。偏向器アレイ４５０を適切にアドレスし、基板５の表面全体でビームレット４４９をスキャンすることで、基板５の表面にパターンを描画することができる。
【０１１０】
図４Ｂは、露光装置フレーム４１上に配置された光学リソグラフィシステム５４０のための露光装置の一例を示している。
【０１１１】
上部モジュール５４１は、光ビーム５４６を発生させるように構成された光源５４５を備えている。光ビーム５４６は、光ビーム５４９を均質化すると共にコリメートするように構成された光学系５４７、５４８に誘導される。コリメートされ均質化された光ビーム５４９は、マスク５５０を含む後段のモジュール５４２に誘導される。マスク５５０は光ビーム５４９によって照明され、透過光は後段の下部モジュール５４３に誘導される。マスク５５０は、固定パターンを有するマスクであるか、又は変更可能パターンを与えるため透明状態もしくは不透明状態に切り替えることができる切り替え可能要素を有するマスクであり得る。モジュール５４３において、レンズシステム５５１、５５２は、マスク５５０を基板５の表面に結像するように構成されている。これによってマスク５５０のパターンは基板５の表面に投影される。
【０１１２】
図４Ｃは、露光装置フレーム４１上に配置された電子顕微鏡６４０のための露光装置の一例を示している。電子顕微鏡６４０は、電子ビーム６４６を発生させるように構成された電子源６４５を備えている。電子ビーム６４６は、電子ビーム６４９をいくつかの電子レンズ６５０、６５１の方へ誘導するように配置された光学系６４７、６４８に誘導される。電子レンズは、電子ビーム５４９を基板５の表面に集光するように構成されている。電子顕微鏡６４０は通常、基板５の表面全体で電子ビーム６４９をスキャンするための１つ以上の偏向器が設けられている。
【０１１３】
電子ビーム６４９が基板５の表面に入射した場合、電子と基板５の表面の材料との相互作用によって、例えば電子の散乱、二次電子の発生、及び／又は光の発生が引き起こされる可能性がある。電子顕微鏡６４９には、散乱した電子、二次電子、及び／又は発生した光を検出できるセンサ６５２が設けられている。基板５の表面全体で電子ビーム６４９をスキャンし、散乱した電子、二次電子、及び／又は発生した光を検出することによって、基板５の表面をマッピング及び／又は結像することができる。
【０１１４】
上記の記載は、好適な実施形態の動作を説明するために含めるものであり、本発明の範囲を限定することは意図していない。上記の検討から、本発明の精神及び範囲によって包含されていない多くの変形が当業者には明らかとなるであろう。
【図１】
2020503557.tif 000002
【図２】
2020503557.tif 000003
【図３】
2020503557.tif 000004
【図４Ａ】
2020503557.tif 000005
【図４Ｂ】
2020503557.tif 000006
【図４Ｃ】
2020503557.tif 000007
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
機械的に連結された一連のコンポーネントの第１の部分の位置を機械的に連結された一連のコンポーネントの第２の部分に対して調整するための機械的調整アセンブリであって、
前記機械的調整アセンブリは、第１のベローズと、第２のベローズと、導管と、を備え、前記導管は水圧系を形成するため前記第１のベローズ及び前記第２のベローズを相互接続し、
前記第１のベローズは前記機械的に連結された一連のコンポーネントの前記第１の部分と前記第２の部分との間に配置され、前記第２のベローズは前記第１のベローズから離間して配置され、前記第１のベローズは前記第２のベローズによって作動されるように配置されている、機械的調整アセンブリ。
【請求項２】
前記第２のベローズには、前記第１のベローズを作動させるため前記第２のベローズを収縮又は膨張させるように構成された駆動ユニットが備えられ、前記駆動ユニットは好ましくはモータを備える、請求項１に記載の機械的調整アセンブリ。
【請求項３】
前記システムは、前記機械的に連結された一連のコンポーネントの前記第２の部分に対する前記第１の部分の位置、又は前記機械的に連結された一連のコンポーネントの前記第２の部分に対する前記機械的に連結された一連のコンポーネントの前記第１の部分の位置の変化を測定するための少なくとも１つのセンサを備える、請求項１又は２に記載の機械的調整アセンブリ。
【請求項４】
機械的に連結された一連のコンポーネントの第１の部分の位置を機械的に連結された一連のコンポーネントの第２の部分に対して調整するための方法であって、
第１のベローズと、第２のベローズと、導管と、を備える機械的調整アセンブリを提供することであって、前記導管は水圧系を形成するため前記第１のベローズ及び前記第２のベローズを相互接続する、ことと、
前記機械的に連結された一連のコンポーネントの前記第１の部分と前記第２の部分との間に前記第１のベローズを配置することと、
前記第１のベローズから離間して前記第２のベローズを配置することと、
前記第２のベローズを作動させ、これによって、前記機械的に連結されたコンポーネントの前記第１の部分の前記位置を前記機械的に連結された一連のコンポーネントの前記第２の部分に対して調整するように、前記第１のベローズの作動を引き起こすことと、
を含む方法。
【請求項５】
前記機械的に連結された一連のコンポーネントの前記第２の部分に対する前記第１の部分の位置、又は前記機械的に連結された一連のコンポーネントの前記第２の部分に対する前記機械的に連結された一連のコンポーネントの前記第１の部分の位置の変化を測定する少なくとも１つのセンサからの信号に基づいて、前記第２のベローズの前記作動を制御することを更に含む、請求項４に記載の方法。
【請求項６】
フレームと、
前記フレームに接続されている、基板を担持するための基板サポートモジュールと、
前記フレームによって担持され、前記基板サポートモジュールによって担持された前記基板を露光するため配置された露光装置と、
前記基板サポートモジュールに対する前記露光装置の位置を調整するための調整アセンブリであって、前記調整アセンブリは水圧アクチュエータと、水圧ジェネレータと、導管と、を備え、前記導管は水圧系を形成するため前記水圧アクチュエータ及び前記水圧ジェネレータを相互接続する、調整アセンブリと、
を備え、前記露光装置、前記フレーム、前記調整アセンブリ、及び前記基板サポートモジュールは、機械的に連結された一連のコンポーネントの部分として配置され、前記機械的に連結された一連のコンポーネントは、少なくとも前記露光装置を含む第１の部分と少なくとも前記基板サポートモジュールを含む第２の部分とを含み、前記水圧アクチュエータは前記機械的に連結された一連のコンポーネントの前記第１の部分と前記第２の部分との間に配置されており、前記水圧アクチュエータは前記フレームと前記基板サポートモジュールとの間に配置されている、、基板露光システム。
【請求項７】
前記水圧アクチュエータは第１のベローズを含む、請求項６に記載の基板露光システム。
【請求項８】
前記水圧ジェネレータは第２のベローズを含み、
好ましくは前記第２のベローズには、好ましくは機械的リニア駆動ユニットである駆動ユニットが備えられ、前記駆動ユニットは、前記第１のベローズを作動させるため前記第２のベローズを収縮又は膨張させるように構成されており、
好ましくは前記駆動ユニットは、好ましくはステッパモータであるモータを含む、請求項６又は７に記載の基板露光システム。
【請求項９】
前記基板露光システムは、前記機械的に連結された一連のコンポーネントの前記第２の部分に対する前記第１の部分の位置、又は前記機械的に連結された一連のコンポーネントの前記第２の部分に対する前記機械的に連結された一連のコンポーネントの前記第１の部分の位置の変化を測定するための少なくとも１つのセンサを備える、請求項６から８のいずれか一項に記載の基板露光システム。
【請求項１０】
前記センサは、前記機械的に連結された一連のコンポーネントの前記第２の部分の一部であるフレームセグメントに対する前記露光装置の位置、又は前記機械的に連結された一連のコンポーネントの前記第２の部分の一部であるフレームセグメントに対する前記露光装置の位置の変化を測定するため構成されている、請求項９に記載の基板露光システム。
【請求項１１】
前記露光装置は少なくとも１つのばね要素によって前記フレームに移動可能に接続され、前記機械的に連結された一連のコンポーネントの前記第１の部分は前記ばね要素を含み、
前記水圧アクチュエータは前記フレームと前記ばね要素との間に配置されている、請求項６から１０のいずれか一項に記載の基板露光システム。
【請求項１２】
水圧アクチュエータは、前記基板サポートモジュールに対して前記露光装置を移動させるために、好ましくは、前記基板サポートモジュールに対して前記露光装置を実質的に垂直の方向に移動させるために構成されている、請求項６から１１のいずれか一項に記載の基板露光システム。
【請求項１３】
筐体を更に備え、前記露光装置及び前記基板サポートモジュールは少なくとも部分的に前記筐体の内部に配置され、前記水圧アクチュエータは前記筐体の内部に配置されると共に前記水圧ジェネレータは前記筐体の外部に配置されている、請求項６から１２のいずれか一項に記載の基板露光システム。
【請求項１４】
前記筐体は真空チャンバとして機能するように構成され、前記筐体は、使用時に前記筐体内部で真空又は減圧を生成するための真空ポンプに結合され、好ましくは前記水圧アクチュエータは真空対応である、請求項１３に記載の基板露光システム。
【請求項１５】
前記露光装置は、好ましくはマルチビーム荷電粒子光学コラムである荷電粒子ビーム光学コラムを含む、請求項６から１４のいずれか一項に記載の基板露光システム。
【国際調査報告】
2020503557.tif 000008
2020503557.tif 000009
2020503557.tif 000010